(57)【要約】【課題】線材の整列巻きを簡単、安価且つ確実に行えるようにする。【解決手段】巻取り位置をリール軸方向に移動させるトラバースの過程で、ガイドローラー２を、リールフランジ部１ｂ際から離れた位置では、リール胴部１ａの外周の巻き面との距離（Ｄ）が０ｍｍを超えて３０ｍｍ以下の範囲の位置に保持し、リールフランジ部１ｂ際の位置では、ローラー外縁がリール径方向にリールフランジ部１ｂより外側へ出てリール径方向にリールフランジ部１ｂ外縁との距離（Ｃ）が０ｍｍを超えて２０ｍｍ以下の範囲となる位置まで漸次移動させる。その間、ガイドローラー２は終始、ローラー軸線Ｋがリール軸線Ｔに平行となる姿勢を保ったままとする。【選択図】図３
2014001067.tif 000002
【特許請求の範囲】
【請求項１】
外周にガイド溝を有するガイドローラーを介して供給される線材のリールに対する巻取り位置を前記ガイドローラーおよび前記リールの少なくとも一方の移動に伴ってリール軸線方向に移動させつつリールに線材を整列巻きで巻き取らせるトラバース装置であって、
前記ガイドローラーを、リールフランジ部際から離れた位置では、ローラー軸線がリール軸線に平行となる姿勢を保ちつつ、ローラー外縁がリール径方向にリールフランジ部の内側に入り込んでリール胴部外周の巻き面との距離が小さくなる第１の位置に保持し、リールフランジ部際の位置では、ローラー軸線がリール軸線に平行となる姿勢を保ったまま、ローラー外縁がリール径方向にリールフランジ部よりも外側へ出てリールフランジ部と接触しない第２の位置まで移動させるよう構成したことを特徴とするトラバース装置。
【請求項２】
外周にガイド溝を有するガイドローラーを介して供給される線材のリールに対する巻取り位置を前記ガイドローラーおよび前記リールの少なくとも一方の移動に伴ってリール軸線方向に移動させつつリールに線材を整列巻きで巻き取らせるトラバース装置であって、
前記ガイドローラーを、ローラー端面とリールフランジ部との距離がリール軸線方向に第１の距離を越える位置では、ローラー軸線がリール軸線に平行となる姿勢を保ちつつ、ローラー外縁がリール径方向にリールフランジ部の内側に入り込んでリール胴部外周の巻き面との距離が小さくなる第１の位置に保持し、ローラー端面とリールフランジ部との距離がリール軸線方向に前記第１の距離を越えない位置では、ローラー軸線がリール軸線に平行となる姿勢を保ったまま、リール軸線方向の移動に伴ってリール径方向の外側へ漸次移動させ、ローラー端面とリールフランジ部との距離がリール軸線方向に前記第１の距離より小さい第２の距離となる位置で、ローラー外縁がリール径方向にリールフランジ部より外側へ出てリールフランジ部と接触しない第２の位置に保持するよう構成したことを特徴とするトラバース装置。
【請求項３】
前記第１の距離が２０〜４０ｍｍで、前記第２の距離が１〜１０ｍｍであることを特徴とする請求項２記載のトラバース装置。
【請求項４】
前記第１の位置は、ローラー外縁とリール胴部外周の巻き面との距離が０ｍｍを超えて３０ｍｍ以下の範囲の位置であることを特徴とする請求項１〜３のいずれか１項記載のトラバース装置。
【請求項５】
前記ガイドローラーのガイド溝の巾寸法は、線材の巾寸法＋０．１〜０．５０ｍｍであることを特徴とする請求項１〜４のいずれか１項に記載のトラバース装置。
【請求項６】
請求項１〜５のいずれか１項に記載のトラバース装置を使用し、前記ガイドローラーを、リールフランジ部際から離れた位置では、ローラー軸線がリール軸線に平行となる姿勢を保ちつつ、ローラー外縁がリール径方向にリールフランジ部の内側に入り込んでリール胴部外周の巻き面との距離が小さくなる第１の位置に保持し、リールフランジ部際の位置では、ローラー軸線がリール軸線に平行となる姿勢を保ったまま、ローラー外縁がリール径方向にリールフランジ部よりも外側へ出てリールフランジ部と干渉しなくなる第２の位置まで移動させることを特徴とするトラバース方法。
【発明の詳細な説明】
【技術分野】
【０００１】
本発明は、スチールコード、ビードワイヤ、ピストンリング用線などの金属線、電線などの被覆線、その他ロープ等の線材（線状材料）を整列巻きでリールに巻き取るためのトラバース装置およびトラバース方法に関する。
【背景技術】
【０００２】
線材をリールに巻き取る方法として、リールフランジ部と干渉しないようにリール胴部から径方向に距離を置いて配置したガイドローラー（トラバースガイドローラー）を介して線材をリール胴部に導き、リールあるいはガイドローラーをリール軸方向に移動させて巻取り位置を移動（トラバース）させながら、リールを回転させて線材を巻き取る方法が従来から知られている。しかし、この方法では、リール胴部外周の巻き面とガイドローラーとの間にかなりの距離があるため、遊びができて、リール胴部上の線材の巻取り位置の移動とリールあるいはガイドローラーの移動とにずれが生じ、特にリール胴部両端での反転時のトラバース調整が容易でなく、巻き面をコントロールできない。そのため、この方法で整列巻きを行おうとしても、狙い通りの巻き面にならないで、線材が積み上がり、一定量積み上がると崩れて、それがモツレ（絡まり）の原因となる。また、この方法で綾巻きにした場合、巻きピッチが大きいため、巻き面とガイドローラーとの距離が大きいことによる遊びが巻き面の出来具合に及ぼす影響は比較的小さいが、この場合は、繰り出した線材が線と線の間に食い込むことから、線材にキズが発生しやすく、また、巻き厚が大きくなって、内部に空間ができることから、荷作業の際に荷崩れしやすく、それがまた、モツレ（絡まり）やキズの原因となる。
【０００３】
また、このように巻き面とガイドローラーとの距離が大きいと、巻き面をコントロールできす、整列巻きにできないことから、大径の円盤状ガイドローラーを使用し、ローラー外縁を巻き面に極力近づけて線材を巻き取る方法も考えられている。この方法によれば、ローラー外縁を巻き面に極力近づけることで、リール胴部上の線材の巻取り位置の移動とリールあるいはガイドローラーの移動とを略一致させることができる。しかし、この方法では、線材をリールフランジ際まで巻き取ろうとした時に、リールフランジ部に加工精度のバラツキや変形があるためにガイドローラーがリールフランジ部とぶつかってしまうおそれがある。リールは何度も使用することによって変形し、また、焼鈍熱処理の際は線材と一緒に炉に入れるため変形が避けられない。そのため、ぶつからないようにするためにトラバースの設定を巻き取り作業の度に調整する必要があって、それに時間がかかり、また、ぶつからないように設定に余裕を持たせると、フランジ際への寄りがあまくなって、整列巻きとは程遠いタイコ巻き形状になってしまう。
【０００４】
また、ローラー外縁を巻き面に近づけながら、リールフランジ際まで線材を巻き取れるようにする方法としては、ガイドローラーをリール胴部外周から遠い側のロール外縁側に位置する回転軸を回転中心としてリール軸線方向に傾斜可能に配置し、リール胴部上の両端フランジ際近傍でのトラバース反転時に、リールの軸線方向移動を止め、ガイドローラーを首振りさせてローラー外縁がリール側でリールフランジ際に近づくよう傾斜させつつ、リールの回転により線材をフランジ際に巻き取り、リール胴部の中間位置では、リールを軸方向へ一定速度で連続的に移動させながら、ガイドローラーを首振りさせて線材を１周ずつ巻き取るようにする方法が提案されている（例えば、特許文献１参照。）。この方法によれば、リール胴部両端でガイドローラーを傾けて、フランジ際まで線材を巻き取ることができ、整列巻きが可能である。しかし、この方法では、トラバース反転時のみならず、リール胴部の中間位置でも、ガイドローラーを首振りさせる度に、ガイドローラーがリールから離反しないよう、傾きに合わせてガイドローラーの回転軸をリール胴部に対し近づけたり遠ざける方向へ移動させることが必要で、制御が複雑になる。また、ガイドローラーを傾けると、例えばリールが一定速度で移動していたのではトラバースのピッチが変わってくる。そのため、トラバースのピッチを一定にするためには、首振りの度にリール側あるいはガイドローラー側でピッチ調整をしなければならず、その制御が複雑で高価になる。
【０００５】
また、ガイドローラーをリール胴部外周から遠い側のロール外縁側に位置する回転軸を回転中心としてリール軸線方向に傾斜可能に配置し、ローラー外縁をリール胴部に近接する側でトラバース方向前方のリールフランジ部に近づく方向に傾斜させる点では上記方法と同様であるが、ガイドローラーの傾斜方向をリール胴部の中間位置で反対側に切り換え、切換え時以外はガイドローラーを常に傾斜させた状態で、例えばリールの軸線方向移動によりトラバースさせつつ、リールを回転させて線状材料を巻き取らせる方法も考えられている。この方法によれば、ガイドローラーは常に傾斜させた状態でトラバースさせるので、ガイドローラーの傾きに合わせてガイドローラーを進退移動させる必要がなく、また、トラバース１往復の間はガイドローラーの傾斜方向が変わらないので、ピッチ調整の制御も比較的簡単になる。しかしながら、この場合も、ガイドローラーはトラバース１往復の毎に傾斜方向が切り換わり、その際、ガイドローラーは、リール胴部外周から遠い側のロール外縁側に位置する回転中心を中心に回転するので、巻取り物である線材のリール胴部への巻取り位置がリール軸線方向に若干ずれて、トラバースのピッチが変わる。そのため、ピッチを一定にするために、リールあるいはガイドローラーをリール軸方向に移動させる制御が必要で、その制御が簡単でない。
【０００６】
そこで、本出願人は、やはりガイドローラーを、ローラー外縁がリール胴部に近接する側でトラバース方向前方のリールフランジ部に近づく方向に傾斜するようリール軸線方向に傾斜可能とするものであるが、そのガイドローラーの傾斜のための回転中心を、リール胴部外周から近い側の外縁側として、リール胴部の中間位置でガイドローラーの傾斜方向を切り換え、ガイドローラーを傾斜させた状態でトラバースさせる装置および方法に着目し、先に出願した（特願２０１１−２１０６１６）。これによれば、傾斜方向を切り換えるときに巻き取り位置がずれることがなく、トラバースのピッチも略一定に維持できる。
【先行技術文献】
【特許文献】
【０００７】
【特許文献１】特開２００１−１８０８６６号公報
【発明の概要】
【発明が解決しようとする課題】
【０００８】
このように、従来の技術では、リール上の巻き面とガイドローラーとの距離が大きくて、巻き面をコントロールできなかったり、トラバース反転時にガイドローラーがリールフランジ部にぶつかるおそれがあって、線材を整列巻きすることができず、フランジ際で線材にモツレ（絡まり）やキズが生じやすかった。また、ガイドローラーを首振りさせつつフランジ際まで線材を巻き取る方法では、首振りの度にガイドローラーをリール胴部に対し近づけたり遠ざけたりする制御が必要で、その制御が複雑で高価であった。また、ガイドローラーを常に傾斜させ、傾斜方向をトラバースの中間位置で切り換える方法では、ガイドローラーの傾斜のための回転中心をリール胴部外周から近い側の外縁側に設定することで、巻き取り位置のずれによるトラバースピッチの変動を抑制できるため、簡単な制御で線材を整列巻きすることができるが、この場合でも、作業条件によっては、ガイドローラーが傾くことによって巻き取り位置がずれる可能性がある。また、この方法でも、リールが何度も使用されることにより変形し、あるいは熱処理の際に線材と一緒に炉に入れられることにより変形すると、フランジ際でガイドローラがフランジにぶつかる可能性がある。
【０００９】
本発明は、線材の整列巻きを簡単、安価且つ確実に行うことのできるトラバース装置およびトラバース方法を提供することを目的とする。
【課題を解決するための手段】
【００１０】
本発明のトラバース装置は、外周にガイド溝を有するガイドローラーを介して供給される線材のリールに対する巻取り位置をガイドローラーおよびリールの少なくとも一方の移動に伴ってリール軸線方向に移動させつつリールに線材を整列巻きで巻き取らせるトラバース装置であって、ガイドローラーを、リールフランジ部際から離れた位置では、ローラー軸線がリール軸線に平行となる姿勢を保ちつつ、ローラー外縁がリール径方向にリールフランジ部の内側に入り込んでリール胴部外周の巻き面との距離が小さくなる第１の位置に保持し、リールフランジ部際の位置では、ローラー軸線がリール軸線に平行となる姿勢を保ったまま、ローラー外縁がリール径方向にリールフランジ部よりも外側へ出てリールフランジ部と接触しない第２の位置まで移動させるよう構成したものである。
【００１１】
このトラバース装置は、線材のリールに対する巻取り位置をガイドローラーおよびリールの少なくとも一方をリール軸方向に移動させて巻取り位置を整列巻きのピッチで移動（トラバース）させながらリールに線材を巻き取らせる過程で、ガイドローラーを、リールフランジ部際から離れた位置では、ローラー軸線がリール軸線に平行となる姿勢を保ちつつ、ローラー外縁がリール径方向にリールフランジ部の内側に入り込んでリール胴部外周の巻き面との距離が小さくなる第１の位置に保持し、リールフランジ部際の位置では、ローラー軸線がリール軸線に平行となる姿勢を保ったまま、ローラー外縁がリール径方向にリールフランジ部よりも外側へ出てリールフランジ部と接触しない第２の位置まで移動させることにより、リールフランジ部際を除くリール軸線方向の広い領域でリール上の巻き面とガイドローラーとの距離を小さくすることができて、巻き面をコントロールすることができ、また、リールフランジ部に加工精度のばらつきや、繰り返し使用による変形、線材熱処理の際の変形等があっても、ガイドローラーがリールフランジ部に接触することがないようにすることができて、線材の重なりによるモツレ（絡まり）やキズの発生を防止でき、角線、Ｉ型線材その他の異形線であっても、簡単、安価且つ確実に整列巻きを行うようにすることができる。
【００１２】
そして、このトラバース装置は、特に、ガイドローラーを、ローラー端面とリールフランジ部との距離がリール軸線方向に第１の設定距離を越える位置では、ローラー軸線がリール軸線に平行となる姿勢を保ちつつ、ローラー外縁がリール径方向にリールフランジ部の内側に入り込んでリール胴部外周の巻き面との距離が小さくなる第１の位置に保持し、ローラー端面とリールフランジ部との距離がリール軸線方向に第１の距離を越えない位置では、ローラー軸線がリール軸線に平行となる姿勢を保ったまま、リール軸線方向の移動に伴ってリール径方向の外側へ漸次移動させ、ローラー端面とリールフランジ部との距離がリール軸線方向に第１の距離より小さい第２の距離となる位置で、ローラー外縁がリール径方向にリールフランジ部より外側へ出てリールフランジ部と接触しない第２の位置に保持するよう構成するのがよい。これにより、容易に整列巻きを行うことができる。
【００１３】
このトラバース装置において。上記第１の距離は２０〜４０ｍｍであるのがよく、特に２０ｍｍ前後が好ましい。また、上記第２の距離は１〜１０ｍｍであるのがよい。第１の距離と第２の距離をこのように設定することで、円滑かつ確実に整列巻きを行うことができる。第１の距離が２０ｍｍ未満であると、第１の位置と第２の位置との間でガイドローラーの移動が急激すぎることになって、線材がガイドローラーから外れるおそれがある。また、第１の距離が４０ｍｍを超えると、ローラー外縁が巻き面から遠ざかる部分が多くなって、巻取り位置がずれる可能性が高くなる。また、第２の距離が１ｍｍ未満であると、リールが変形していた場合にガイドローラーがリールフランジ部と接触する可能性が高くなる。但し、リールに変形がない場合は０ｍｍに近い方が好ましい。また、第２の距離が１０ｍｍを超えると、ローラー外縁が巻き面から遠ざかった状態が長く続くことになり、トラバース反転時の巻き面のコントロールが甘くなる可能性がある。
【００１４】
また、このトラバース装置において、上記第１の位置は、ローラー外縁とリール胴部外周の巻き面との距離が０ｍｍを超えて３０ｍｍ以下の範囲の位置とするのがよい。そうすることで、リール軸線方向の広い領域で巻取り位置を正確にコントロールして狙い通りの整列巻きを行うことができる。ローラー外縁とリール胴部外周の巻き面との距離が３０ｍｍを超えると、巻取り位置を正確にコントロールできなくなる可能性がある。この距離は、巻き面に当たらない程度に極力小さくする方がよい。
【００１５】
そして、このトラバース装置において、ガイドローラーのガイド溝の巾寸法は、線材の巾寸法＋０．１〜０．５０ｍｍであるのがよい。ガイド溝をこのような巾寸法のものとすることで、溝の巾方向に遊びを確保しつつ、線材のずれを防止することができ、巻取り位置を正確にコントロールして狙い通りの整列巻きを行うことができる。ガイド溝の巾寸法が線材の巾寸法＋０．１ｍｍ未満であると、遊びが少なくなって、線材の繰り出しが円滑でなくなり、キズが生ずる可能性もある。また、ガイド溝の巾寸法が線材の巾寸法＋０．５０ｍｍを超えると、ガイド溝の巾方向に線材がずれて、巻取り位置を正確にコントロールできなくなる可能性がある。
【００１６】
また、本発明のトラバース方法は、上記構成のトラバース装置を使用し、ガイドローラーを、リールフランジ部際から離れた位置では、ローラー軸線がリール軸線に平行となる姿勢を保ちつつ、ローラー外縁がリール径方向にリールフランジ部の内側に入り込んでリール胴部外周の巻き面との距離が小さくなる第１の位置に保持し、リールフランジ部際の位置では、ローラー軸線がリール軸線に平行となる姿勢を保ったまま、ローラー外縁がリール径方向にリールフランジ部よりも外側へ出てリールフランジ部と干渉しなくなる第２の位置まで移動させるものである。この方法で、簡単、安価且つ確実に整列巻きを行うことができる。
【発明の効果】
【００１７】
以上の説明で明らかなように、本発明によれば、リールフランジ部際を除くリール軸線方向の広い領域でリール上の巻き面とガイドローラーとの距離を小さくすることができて、巻き面をコントロールすることができ、また、リールフランジ部に加工精度のばらつきや、繰り返し使用による変形、線材熱処理の際の変形等があっても、ガイドローラーがリールフランジ部に接触することがないようにすることができて、線材の重なりによるモツレ（絡まり）やキズの発生を防止でき、角線、Ｉ型線材その他の異形線であっても、簡単、安価且つ確実に整列巻きすることができる。
【図面の簡単な説明】
【００１８】
【図１】本発明の実施の形態のトラバース装置の要部を示す平面図である。
【図２】本発明の実施の形態のトラバース装置の要部を示す側面図である。
【図３】本発明の実施の形態のトラバース装置におけるガイドローラーの動作を説明する模式図である。
【図４】本発明の実施の形態のトラバース装置におけるガイドローラー外周のガイド溝の部分を拡大して示す断面図である。
【発明を実施するための形態】
【００１９】
図１および図２に本発明の実施の形態のトラバース装置の要部構成を示す。図中、１はリール（巻き取りリール）、１ａはリール胴部、１ｂはリールフランジ部、２はガイドローラー（トラバースガイドローラー）、２ａはガイドローラー外周のガイド溝、３はガイドローラーを支持する支持アーム、４は支持アーム３を支持する支持ブロックである。
【００２０】
ガイドローラー２は、ローラー外縁がリール１の両側のリールフランジ部１ｂの間でリール胴部１ａの外周に対峙して配置され、支持アーム３に支持されたローラー軸５に軸受６を介して回転自在に支持されている。
【００２１】
支持アーム３は、支持ブロック４に支持され、その支持位置は、調節ハンドル１２の操作により支持ブロック４に対しリール軸線Ｒに向けて進退移動可能となっている。
【００２２】
支持ブロック４は、ベース（図示せず）上に設置された直線状のガイドレール（図示せず）上を水平移動用のエアーシリンダー（図示せず）を駆動源としてリール軸線方向に対し垂直な方向（リール胴部１ａに対し進退する方向）に移動可能な移動台１１上に載置されている。支持ブロック４はこのように移動可能であって、支持ブロック４が移動台１１と共にリール胴部１ａに対し進退する方向に移動することにより、ガイドローラー２はローラー外縁がリール１側でリール胴部１ａに対しリール径方向に近接あるいは離反する方向に移動する。また、支持ブロック４は、移動台１１上で、エアーシリンダー９を駆動源として、Ｒガイド（円弧状のガイドレール）８に沿って、Ｒガイド８の曲率中心を中心として回転可能である。
【００２３】
このトラバース装置は、リール１をリール軸線方向（図１における上下方向）に移動させることにより、ガイドローラー２を介して供給される線材Ｔのリール１に対する巻取り位置を整列巻きのピッチでリール軸方向に移動（トラバース）させつつ、リール１を回転させて、リール胴部１ａに線材Ｔを巻き取らせ、線状材料Ｔを１層巻き取る毎に、移動台１１を移動させてガイドローラー２を線状材料Ｔの一層分の厚さだけリール胴部１ａから離れる方向に移動させ、トラバース方向を反転して線材Ｔを巻き重ねていく。そして、そのトラバースの過程で、ガイドローラー２を、リールフランジ部１ｂ際から離れた位置（リール軸線方向の位置）では、ローラー外縁がリール径方向にリールフランジ部１ｂの内側に大きく入り込んでリール胴部１ａの外周の巻き面との距離（図３に示すＤ）が０ｍｍを超えて３０ｍｍ以下の範囲の位置（リール径方向の位置）に保持し、リールフランジ部１ｂ際の位置（リール軸線方向の位置）では、リール１のリール軸線方向の移動に伴って、ガイドローラー２を上記第１の位置からリール径方向の外側へ向けて、ローラー外縁がリール径方向にリールフランジ部１ｂより外側へ出てリール径方向にリールフランジ部１ｂ外縁との距離（図３に示すＣ）が０ｍｍを超えて２０ｍｍ以下の範囲の、ガイドローラー２がリールフランジ部１ｂと接触しなくなる位置（リール径方向の位置）まで所定速度で漸次移動させる。そして、トラバース反転位置に達すると、逆方向に漸次移動させる。その間、ガイドローラー２を終始、ローラー軸線Ｋがリール軸線Ｔに平行となる姿勢を保ったままとする。
【００２４】
上記ガイドローラー２のより詳細な動作を、図３を参照して次に説明する。図３は、ガイドローラーの動作を模式的に示すものである。なお、この実施形態では、リール１が移動することによってガイドローラー２がリール１に対し相対的にリール軸線方向に移動するのであって、ガイドローラー２がリール軸方向に移動するのではないが、図３では説明の都合上、相対移動をガイドローラー２の移動で示している。
【００２５】
ガイドローラー２は、リール１が移動することにより、図３に示すようにリール１に対し相対的にリール軸線方向に移動する。そして、リールフランジ部１ｂ際から離れた、ローラー端面２ｂとリールフランジ部１ｂとの距離がリール軸線方向に２０〜４０ｍｍ（第１の距離）を越える位置（図３の距離Ａとなる位置よりもリール軸線方向に内側の位置）では、ガイドローラー２を、ローラー軸線Ｋがリール軸線Ｒに平行となる姿勢を保ちつつ、ローラー外縁がリール径方向にリールフランジ部１ｂの内側に大きく入り込んでリール胴部１ａの外周の巻き面との距離（図３に示すＤ）が０ｍｍを超えて３０ｍｍ以下の範囲の位置（リール径方向の位置）に保持し、その状態で線材Ｔを巻き取っていく。
【００２６】
そして、ガイドローラー２がリールフランジ部１ｂに近づいて、ローラー端面２ｂとリールフランジ部１ｂとの距離が２０〜４０ｍｍ（第１の距離）となる位置（図３の距離Ａとなる位置）に達すると、ガイドローラー２をリール径方向の外側へ向けて所定速度で移動させ、ローラー端面２ｂとリールフランジ部１ｂとの距離が第１の距離（２０〜４０ｍｍ）より小さいリール軸線方向に１〜１０ｍｍの第２の距離となる位置（図３の距離Ｂとなる位置）に達するまで、ローラー軸線がリール軸線に平行となる姿勢を保ったままリール軸線方向の移動に伴って漸次移動させながら、線材Ｔを巻き取っていく。
【００２７】
そして、ローラー端面とリールフランジ部１ｂとの距離が上記第２の距離（１〜１０ｍｍ）となる位置（図３の距離Ｂとなる位置）に達すると、ローラー外縁がリール径方向にリールフランジ部１ａより外側へ出て、図３にＣで示すリールフランジ部１ｂとの間のリール径方向の距離が０ｍｍを超えて２０ｍｍ以下の範囲の距離となってガイドローラー２がリールフランジ部１ｂと接触しなくなる第２の位置（リール径方向の位置）に保持する。
【００２８】
そして、ガイドローラー２が、ローラー端面２ｂとリールフランジ部１ｂとの距離が上記第２の距離（１〜１０ｍｍ）となる位置（図３の距離Ｂとなる位置）を超えて、トラバース反転位置（ガイドローラーターン位置）である図３のＥで示す位置に達すると、ガイドローラー２を一旦停止させ、その後、リール軸線方向の移動方向を反転させる。そして、反転後、第２の位置から第１の位置へ向けて漸次移動させ、線材Ｔを反対方向に巻いていく。
【００２９】
このようなガイドローラー２の動作により、リールフランジ部１ｂ際を除くリール軸線方向の広い領域でリール１上の巻き面とガイドローラー２との距離を小さくすることができて、巻き面を正確にコントロールすることができ、また、リールフランジ部１ｂに加工精度のばらつきや、繰り返し使用による変形、線材熱処理の際の変形等があっても、ガイドローラー２がリールフランジ部１ｂに接触することがなくて、線材Ｔの重なりによるモツレ（絡まり）やキズの発生を防止でき、簡単、安価且つ確実に整列巻きを行うことができる。
【００３０】
この実施形態のトラバース装置は、スチールコード、ビードワイヤ、ピストンリング用線などの金属線、電線などの被覆線、その他ロープ等の線材を整列巻きするのに好適であり、丸線は勿論、角線、Ｉ型線材その他の異形線であっても、簡単、安価且つ確実に整列巻きすることができる。
【００３１】
ガイドローラー２のガイド溝２ａの巾寸法（図４に示すａ）は、線材Ｔの巾寸法（図４に示すＷ）より０．１〜０．５０ｍｍ大きいのがよい。ガイド溝２ａをこのような巾寸法のものとすることで、溝の巾方向に遊び（図４に示すｔ）を確保しつつ、線材Ｔのずれを防止することができ、巻取り位置を正確にコントロールして狙い通りの整列巻きを行うことができる。
【００３２】
なお、上記実施形態では、リール１を移動させてトラバースする場合を説明したが、リール１は移動させずにガイドローラー２をリール軸線方向に移動させるようにしてもよく、リール１とガイドローラー２の双方を移動させてトラバースするようにしてもよい。
【符号の説明】
【００３３】
１  リール
１ａ  リール胴部
１ｂ  リールフランジ部
２  ガイドローラー
２ａ  ガイド溝
２ｂ  ローラー端面
Ｋ  ローラー軸線
Ｒ  リール軸線
【図１】
2014001067.tif 000003
【図２】
2014001067.tif 000004
【図３】
2014001067.tif 000005
【図４】
2014001067.tif 000006